(57)【要約】【課題】  画像形成装置本体側の印刷を中断させることなく、ジャム解除操作等のユーザ操作を行えるようにする。【解決手段】  後処理装置を構成する複数の後処理部をそれぞれ引き出し可能に構成し、その各後処理部のいずれかの引き出しを検出すると、画像形成装置本体から排出される画像形成済みの記録媒体の上記引き出しが検出された後処理部への搬送を禁止する。このとき、上記引き出しが検出された後処理部内でジャムが発生していた場合、画像形成装置本体からの画像形成済みの用紙の搬送先を、ジャムが発生していない他の後処理部に切り替え、後処理を継続させる。また、使用中の後処理部の引き出しを禁止する。【選択図】        図５
2011184155.tif 000002
【特許請求の範囲】
【請求項１】
画像形成装置本体から排出される画像形成済みの記録媒体を受け入れ、その記録媒体に対して後処理を行う後処理部を複数有する後処理装置において、
前記複数の後処理部をそれぞれ引き出し可能に構成し、
前記複数の後処理部の引き出しをそれぞれ検出する引き出し検出手段と、該引き出し検出手段によって前記複数の後処理部のいずれかの引き出しが検出された場合に、前記画像形成装置本体から排出される画像形成済みの記録媒体の前記引き出しが検出された後処理部への搬送を禁止する制御手段とを設けたことを特徴とする後処理装置。
【請求項２】
請求項１に記載の後処理装置において、
前記複数の後処理部をそれぞれ引き出すためのスライド機構を設けると共に、前記複数の後処理部の前面にそれぞれ前カバーを取り付け、該後処理部を該前カバーごと手前側に引き出し可能に構成したことを特徴とする後処理装置。
【請求項３】
請求項１又は２に記載の後処理装置において、
前記複数の後処理部のいずれかで前記記録媒体のジャムが発生したとき、そのジャムを検出するジャム検出手段を設け、
前記制御手段は、前記ジャム検出手段によって前記複数の後処理部のいずれかでジャムが検出された場合に、前記画像形成装置本体から排出される画像形成済みの記録媒体の搬送先を、ジャムが発生していない他の後処理部に切り替え、前記後処理を継続させる手段を有することを特徴とする後処理装置。
【請求項４】
前記制御手段は、使用中の後処理部の引き出しを禁止する処理を行う禁止処理手段を有することを特徴とする請求項３に記載の後処理装置。
【請求項５】
前記禁止処理手段は、使用中の後処理部が引き出せないようにロックする手段であることを特徴とする請求項４に記載の後処理装置。
【請求項６】
前記禁止処理手段は、使用中の後処理部の引き出しを禁止する旨を外部へ通知する手段であることを特徴とする請求項４に記載の後処理装置。
【請求項７】
前記制御手段は、前記複数の後処理部の引き出しの有無を外部へ通知する手段を有することを特徴とする請求項１乃至６のいずれか一項に記載の後処理装置。
【請求項８】
記録媒体上に画像形成を行う画像形成装置本体に、該画像形成装置本体から排出される画像形成済みの記録媒体を受け入れ、その記録媒体に対して後処理を行う後処理部を複数有する後処理装置を装着した画像形成装置において、
前記後処理装置の前記複数の後処理部をそれぞれ引き出し可能に構成し、
前記複数の後処理部の引き出しをそれぞれ検出する引き出し検出手段と、該引き出し検出手段によって前記複数の後処理部のいずれかの引き出しが検出された場合に、前記画像形成装置本体から排出される画像形成済みの記録媒体の前記引き出しが検出された後処理部への搬送を禁止する制御手段とを設けたことを特徴とする画像形成装置。
【発明の詳細な説明】
【技術分野】
【０００１】
この発明は、デジタル複写機，ファクシミリ装置，デジタル複合機（マルチファンクションプリンタ：ＭＦＰ）等の画像形成装置、およびその画像形成装置の本体から排出される記録媒体を受け入れ、その記録媒体に対して後処理を行う後処理装置に関する。
【背景技術】
【０００２】
上記のような後処理装置として、画像形成装置本体の排紙部から排紙される印刷（画像形成）済みの用紙を受け入れて、所定枚数ごとにステイプル綴じを行うか、またはステイプル綴じを行わないで、排紙トレイ上に用紙を積載するものが知られている。
しかし、このような従来の後処理装置では、画像形成装置本体と共に印刷ジョブを行っている最中に、いずれかの後処理部でジャム（紙詰まり）を起こすと、それ以降の印刷ジョブは、ジャム紙を除去してジャム状態のリセットを行わない限り継続することは不可能であり、印刷を中断しない限りジャム除去操作を行うことができないという問題がある。
【０００３】
そこで、その問題を解消するため、特許文献１に開示されている技術を利用することが考えられる。
特許文献１には、用紙を揃えてステイプル綴じを行うステイプル機構と、その用紙を排出する排紙トレイとの組み合わせからなる後処理部を少なくとも２個以上備え、いずれかの後処理部でジャムが発生したとき、残紙の排出先を他の後処理部に切り替え、他の後処理部で後処理を継続させる構成について開示されている。
【発明の概要】
【発明が解決しようとする課題】
【０００４】
しかしながら、特許文献１に記載のものでも、印刷ジョブを中断しない限りジャム除去操作を行うことができないという問題は解消できていない。
特許文献１に記載のものでは、複数の後処理部が全てジャム等で搬送できない状態となるまで、印刷ジョブの実行継続が可能であるが、印刷ジョブを中断せずにユーザ操作が可能になるというものではない。
【０００５】
この発明は、上記の点に鑑みてなされたものであり、画像形成装置本体側の印刷を中断させることなく、ジャム解除操作等のユーザ操作を行えるようにすることを目的とする。
【課題を解決するための手段】
【０００６】
この発明は、上記の目的を達成するため、後処理装置およびそれを備えた画像形成装置を提供する。
この発明による後処理装置は、画像形成装置本体から排出される画像形成済みの記録媒体を受け入れ、その記録媒体に対して後処理を行う後処理部を複数有する後処理装置において、上記複数の後処理部をそれぞれ引き出し可能に構成し、上記複数の後処理部の引き出しをそれぞれ検出する引き出し検出手段と、それによって上記複数の後処理部のいずれかの引き出しが検出された場合に、上記画像形成装置本体から排出される画像形成済みの記録媒体の上記引き出しが検出された後処理部への搬送を禁止する制御手段とを設けたものである。
【０００７】
なお、上記複数の後処理部をそれぞれ引き出すためのスライド機構を設けると共に、上記複数の後処理部の前面にそれぞれ前カバーを取り付け、その後処理部をその前カバーごと手前側に引き出し可能に構成するとよい。
また、上記複数の後処理部のいずれかで上記記録媒体のジャムが発生したとき、そのジャムを検出するジャム検出手段を設け、
上記制御手段に、上記ジャム検出手段によって上記複数の後処理部のいずれかでジャムが検出された場合に、上記画像形成装置本体から排出される画像形成済みの記録媒体の搬送先を、ジャムが発生していない他の後処理部に切り替え、上記後処理を継続させる手段とを備えるとよい。
【０００８】
この場合、上記制御手段に、使用中の後処理部の引き出しを禁止する処理を行う禁止処理手段を備えることが望ましい。その禁止処理手段は、使用中の後処理部が引き出せないようにロックする手段、あるいは使用中の後処理部の引き出しを禁止する旨を外部へ通知する手段であるとよい。
また、上記制御手段に、上記複数の後処理部の引き出しの有無を外部へ通知する手段を備えるとよい。
【０００９】
この発明による画像形成装置は、記録媒体上に画像形成を行う画像形成装置本体に、その画像形成装置本体から排出される画像形成済みの記録媒体を受け入れ、その記録媒体に対して後処理を行う後処理部を複数有する後処理装置を装着した画像形成装置において、上記後処理装置の複数の後処理部をそれぞれ引き出し可能に構成し、上記複数の後処理部の引き出しをそれぞれ検出する引き出し検出手段と、それによって上記複数の後処理部のいずれかの引き出しが検出された場合に、上記画像形成装置本体から排出される画像形成済みの記録媒体の上記引き出しが検出された後処理部への搬送を禁止する制御手段とを設けたものである。
【発明の効果】
【００１０】
この発明によれば、後処理装置又はそれを備えた画像形成装置が、後処理装置を構成する複数の後処理部のいずれかが引き出されると、その引き出しを検出して、印刷（画像形成）済みの記録媒体の上記引き出された後処理部への搬送を禁止することにより、例えば上記引き出された後処理部内で印刷済みの記録媒体のジャムが発生していた場合、画像形成装置本体から排出される残りの印刷済みの記録媒体を引き出されていない他の後処理部へ搬送して後処理を継続させることが可能になる。よって、画像形成装置本体側の印刷を中断させることなく、ジャム解除操作等のユーザ操作を行うことができる。
【図面の簡単な説明】
【００１１】
【図１】この発明の一実施形態である後処理装置を備えた画像形成装置の全体構成の一例を示す正面図である。
【図２】図１に示した画像形成装置のうちの主にプロッタ装置１の制御系の構成例を示すブロック図である。
【図３】図１に示した画像形成装置の本体に装着可能な用紙後処理装置の全体構成の一例を示す図である。
【図４】図３に示した用紙後処理装置の構造の一例を示す斜視図である。
【図５】図２のＣＰＵ１２による第１の後処理部５１の引き出し検出時の処理の一例を示すフロー図である。
【図６】同じく印刷動作時に使用されている第１の後処理部５１に対する処理の一例を示すフロー図である。
【図７】同じく第１の後処理部５１でのジャム検出時の処理の一例を示すフロー図である。
【発明を実施するための形態】
【００１２】
以下、この発明を実施するための形態を図面に基づいて具体的に説明する。
以下の実施形態では、印刷中に発生した後処理装置のジャム除去操作に際して、以下の特徴を有する。つまり、複数の後処理部を持つことにより、いずれかの後処理部でジャムが発生している際も、ジャムが発生していない他の後処理部を動作させて印刷を継続させることができ、印刷中もジャムが発生した後処理部についてジャム除去操作を行うことができる構成を持つことが特徴になっている。
【００１３】
図１は、この発明の一実施形態である後処理装置を備えた画像形成装置の全体構成の一例を示す正面図である。
この画像形成装置は、例えば図１に示すように、プロッタ装置１と、用紙格納装置２，３、用紙後処理装置４〜６の各周辺機（周辺ユニット）とによって構成されている。
プロッタ装置１は、例えば電子写真式又はインクジェット式の画像形成装置の本体であり、画像情報を用紙（他の記録媒体でもよい）上に印刷（画像形成）し、印刷済みの用紙を用紙後処理装置４へ搬送する。
【００１４】
用紙格納装置２，３は、画像情報の印刷に使用する用紙を格納する装置である。用紙格納装置２は、プロッタ装置１の下側に接続される比較的小容量の格納装置である。用紙格納装置３は、プロッタ装置１と並んで接続される大容量の格納装置である。これらの格納装置は、異なるサイズの用紙を格納した複数の給紙段（各給紙段にはそれぞれ同一サイズの用紙が格納される）を備えており、プロッタ装置１へ用紙を搬送する。
【００１５】
用紙後処理装置４〜６は、プロッタ装置１から排出された用紙に対してそれぞれ異なる後処理を施す装置である。用紙後処理装置４は、例えば製本用の表紙や合紙を挿入するための挿入装置である。用紙後処理装置５は、例えばパンチ処理をするためのパンチ装置、又は製本するために用紙を折るための折り装置である。用紙後処理装置６は、例えば用紙に対してステイプル処理をするためのステイプル装置、テープ製本やリング製本、シュア製本をするための製本装置、又は製本された用紙を最終的なサイズに断裁するための断裁装置である。
【００１６】
これらの用紙後処理装置４〜６は、上述した印刷済み用紙に対する後処理を行う後処理部を複数個ずつ備えている。なお、用紙後処理装置４〜６は、全て備えなくてもよい。また、原稿台にセットされた原稿を読み取り位置に自動給送する自動原稿給送装置や、読み取り位置にセットされた原稿の画像情報を読み取る画像読取装置（スキャナ装置等）などを備えていてもよい。
【００１７】
図２は、図１に示した画像形成装置のうちの主にプロッタ装置１の制御系の構成例を示すブロック図である。
プロッタ装置１（以下「機器」ともいう）は、オペレーションパネル（操作部）１１，ＣＰＵ１２，ＡＳＩＣ（Application Specific Integrated Circuit）１３，ＲＡＭ１４，ＲＯＭ１５，ネットワークインタフェース（以下「インタフェース」を「Ｉ／Ｆ」と略称する）１６，ＨＤＤ１７，周辺機Ｉ／Ｆ１８，およびエンジン部１９を備えている。
【００１８】
オペレーションパネル１１は、エンジン部１９や周辺機２０に対する動作要求をユーザ操作によって入力するための操作キーおよび表示器を備えている。操作キーとしては、エンジン部１９や周辺機２０に対して動作要求を行うため、テンキー，スタートキー，ファンクションキー，ワンタッチキー等のハードキーや、タッチパネルを使用する。表示器としては、動作状況を表示するために、例えば液晶ディスプレイを使用する。
【００１９】
ＣＰＵ１２は、機器全体を管理および制御する中央処理装置である。
ＡＳＩＣ１３は、ＣＰＵ１２，ＲＡＭ１４，ＲＯＭ１５，ネットワークＩ／Ｆ１６，周辺機Ｉ／Ｆ１８，エンジン部１９，およびオペレーションパネル１１をそれぞれ接続するための複数のＩ／Ｆ等からなる多機能デバイスボードであり、ＣＰＵ１２の制御対象となるデバイスの共有化を図り、アーキテクチャの面からアプリケーション等の開発の高効率化を支援するＩＣである。このＡＳＩＣ１３は、ここでは画像処理用のハードウェア要素を備えている。
【００２０】
ＲＡＭ１４は、ＣＰＵ１２が実行するプログラムを展開し、各種処理を行う際の作業領域や、印刷データをエンジン部１９によって用紙に可視画像を印刷するためのビットマップ状の画像データに展開する際に使用する画像メモリ等として使用する読み書き可能なメモリ（記憶手段）である。
ＲＯＭ１５は、ブートプログラムを含む固定のプログラムおよびデータなどを格納している読み出し専用の記憶手段である。
【００２１】
ネットワークＩ／Ｆ１６は、外部装置であるパーソナルコンピュータ等のホストコンピュータとローカルエリアネットワーク等のネットワーク経由で双方向通信するための通信手段である。
ＨＤＤ１７は、各種プログラムや各種の設定内容を含む各種データを記憶する大容量記憶手段である。
【００２２】
周辺機Ｉ／Ｆ１８は、周辺機２０と通信するための通信手段である。周辺機２０は、図１の用紙格納装置２，３および用紙後処理装置４〜６に相当するものである。
エンジン部１９は、画像データを可視画像として用紙上に印刷する印刷機構部（画像形成手段）である。
なお、ＨＤＤ１７以外の記憶手段、例えば図示しないフラッシュＲＯＭやＥＥＰＲＯＭ等の不揮発性メモリを備え、そこに各種データを記憶することもできる。
【００２３】
このように構成された画像形成装置において、ＣＰＵ１２は、電源投入時に、自己にＡＳＩＣ１３を介して接続されているＲＯＭ１５内のブートローダに従い、ＨＤＤ１７内のＯＳおよびアプリケーションプログラムを含む各種プログラムを読み出し、ＲＡＭ１４にインストールした後、自己にＡＳＩＣ１３を介して接続されている各種デバイスとの入出力を制御し、エンジン部１９や周辺機Ｉ／Ｆ１８による周辺機２０との通信を制御することにより、エンジン部１９による印刷処理および周辺機２０による処理（用紙後処理装置４〜６による後処理等）を制御することができる。
【００２４】
よって、ＣＰＵ１２，ＲＯＭ１５，およびＲＡＭ１４を含む制御部が、この発明に関わる手段である引き出し検出手段，ジャム検出手段，および制御手段としての機能を果たすことができる。なお、用紙後処理装置４〜６も、プロッタ装置１と同様のＣＰＵ，ＲＯＭ，ＲＡＭを含む制御部を備えているため、単独でこの発明に関わる手段としての機能を果たすことができる。
【００２５】
以下、この画像形成装置におけるこの発明に関わる部分について、図３〜図６を参照して具体的に簡単に説明する。
図３は、図１に示した画像形成装置の本体に装着可能な用紙後処理装置の全体構成の一例を示す図である。
【００２６】
この用紙後処理装置は、図１の用紙後処理装置４〜６のいずれかとし、複数の後処理部を備えている。この例では、第１の後処理部５１，第２の後処理部５２，第３の後処理部５３の３つの後処理部を備えている。そして、その上流側には各後処理部５１〜５３に共通の共通搬送ユニット５４を配置している。
後処理部５１〜５３のいずれかで紙詰まり（ジャム）が発生したとき、プロッタ装置１は、残紙（印刷済み用紙）を全て用紙後処理装置側に順次送り込み、用紙の処理先を切り替えて、紙詰まりが発生したところから後処理を継続させる。それにより、用紙後処理装置を使用中に紙詰まりが発生しても、用紙の除去を行うことなく続けて用紙の出力が可能になる。
【００２７】
図４は、図３に示した用紙後処理装置の構造の一例を示す斜視図である。
この用紙後処理装置は、入口部１０３よりプロッタ装置１から排紙された用紙を受け取る。
図３の第１の後処理部５１，第２の後処理部５２，第３の後処理部５３の手前側端には、それぞれ前カバー１０１が固定されている。前カバー１０１の上部中央には、把手１０２が設けられている。
【００２８】
例えば、第１の後処理部５１を引き出して作業を行う場合は、ユーザが手で把手１０２を掴んで、図４に示すように前カバー１０１を手前に引っ張ると、第１の後処理部５１も一緒に引き出されるようになっている。
第１の後処理部５１におけるジャム処理の場合は、第１の後処理部５１を引き出す。ここで、第１の後処理部５１は、図４に示すように、前カバー１０１が、第１の後処理部５１の手前側端部に取り付けて一体的に固定してあり、把手１０２を掴んで前カバー１０１を引き出すと、図示しないスライド機構に案内されて水平に引き出され、装置本体の手前に露出する。この状態で、第１の後処理部５１におけるジャム除去操作、あるいは消耗品の補給操作を行うことができる。
【００２９】
また、第１の後処理部５１を引き出した状態におけるジャム除去操作，消耗品の補給などの作業中においても、第２の後処理部５２、第３の後処理部５３は、プロッタ装置１から排紙された用紙を受け取り、所望の動作を行うことができる。
なお、用紙後処理装置内のＣＰＵは、第１の後処理部５１，第２の後処理部５２，第３の後処理部５３がそれぞれ引き出されると、その引き出しを図示しないセンサによって検出することができる。
【００３０】
図５は、図２のＣＰＵ１２による第１の後処理部５１の引き出し検出時の処理の一例を示すフローチャートである。なお、第２，第３の後処理部５２，５３の引き出し検出時の処理も同様なので、それらの図示および説明は省略する。
【００３１】
図４に示した用紙後処理装置内のＣＰＵは、第１の後処理部５１が引き出されると、その引き出しを検出して、その旨を示す情報（引き出し検出情報）を図示しない通信Ｉ／Ｆによってプロッタ装置１へ送信する。
プロッタ装置１内のＣＰＵ１２は、定期的に図５に示す処理を開始し、まずステップＳ１において、第１の後処理部５１の引き出し検出の有無を判断し、用紙後処理装置からの引き出し検出情報により、第１の後処理部５１の引き出しを検出すると、ステップＳ２へ進む。
【００３２】
ステップＳ２では、引き出された（引き出しが検出された）第１の後処理部５１への用紙搬送を禁止する。つまり、その旨を示す情報（用紙搬送禁止情報）を引き出し検出情報の送信元である用紙後処理装置へ送信する。それによって、その用紙後処理装置内のＣＰＵは、プロッタ装置１から受け入れる印刷済み用紙の第１の後処理部５１への搬送を禁止する。
【００３３】
図６は、図２のＣＰＵ１２による印刷動作時に使用される第１の後処理部５１に対する処理の一例を示すフローチャートである。なお、印刷動作時の第２，第３の後処理部５２，５３に対する処理も同様なので、それらの図示および説明は省略する。
プロッタ装置１内のＣＰＵ１２は、定期的に図６に示す処理を開始し、まずステップＳ１１において、印刷動作（プリント動作）中か否かを判断する。
【００３４】
そして、印刷動作中の場合には、ステップＳ１２へ進み、使用されている第１の後処理部５１の前カバー１０１の把手１０２（引き出し手段）の開動作を禁止する。つまり、その旨を示す情報（開動作禁止情報）を用紙後処理装置へ送信する。それによって、その用紙後処理装置内のＣＰＵは、第１の後処理部５１の把手１０２の開動作を禁止する。つまり、把手１０２が開動作できないように（第１の後処理部５１を引き出せないように）、把手１０２をロック機構によってロックする。
【００３５】
印刷動作中でない場合には、ステップＳ１３へ進み、第１の後処理部５１の前カバー１０１の把手１０２の開動作を許可する。つまり、その旨を示す情報（開動作許可情報）を用紙後処理装置へ送信する。それによって、その用紙後処理装置内のＣＰＵは、第１の後処理部５１の把手１０２の開動作を許可する。つまり、把手１０２が開動作できるように（第１の後処理部５１を引き出せるように）、把手１０２をロック機構によってロックしない。
【００３６】
図７は、図２のＣＰＵ１２による第１の後処理部５１でのジャム検出時の処理の一例を示すフローチャートである。なお、第２，第３の後処理部５２，５３でのジャム検出時の処理も同様なので、それらの図示および説明は省略する。
用紙後処理装置内のＣＰＵは、使用中の第１の後処理部５１内でジャムが発生すると、そのジャムを検出して、その旨を示す情報（ジャム検出情報）を通信Ｉ／Ｆによってプロッタ装置１へ送信する。
【００３７】
プロッタ装置１内のＣＰＵ１２は、定期的に図７に示す処理を開始し、まずステップＳ２１において、第１の後処理部５１でのジャム検出の有無を判断し、用紙後処理装置からのジャム検出情報により、第１の後処理部５１でのジャムを検出すると、ステップＳ２２へ進む。
ステップＳ２２では、印刷済み用紙の搬送先を切り替える。つまり、その旨を示す情報（搬送先切り替え情報）を用紙後処理装置へ送信する。それによって、その用紙後処理装置内のＣＰＵは、印刷済み用紙の搬送先を第１の後処理部５１からジャムが発生していない第２後処理部５２又は第３の後処理部５３へ切り替え、後処理を継続させる。この処理については、特許文献１に詳細に記載されている。
【００３８】
このように、用紙後処理装置を構成する複数の後処理部をそれぞれ引き出し可能に構成し、その後処理部のいずれかが引き出されると、その引き出しを検出して、印刷済み用紙の上記引き出された後処理部への搬送を禁止する。このとき、上記引き出された後処理部内で印刷済み用紙のジャムが発生していた場合には、そのジャムを検出して、プロッタ装置から排出される残りの印刷済み用紙の搬送先を、ジャムが発生していない（引き出しが検出されていない）他の後処理部に切り替え、ジャムが発生したところから後処理を含む印刷ジョブを継続させる。よって、いずれかの後処理部内でのジャム発生に対して、プロッタ装置側の印刷を中断させることなく、以下の（１）〜（４）に示すユーザ操作を行うことができる。
【００３９】
（１）後処理部を引き出して、後処理部のジャム除去操作を行う。
（２）後処理部を引き出して、後処理部の消耗品の補給を行う。
（３）後処理部を引き出して、後処理部の残滓の回収を行う。
（４）後処理部の部品寿命到達時などに、その後処理部を引き出して、その後処理部を取り外し、他の後処理部に交換する。
【００４０】
また、使用中（動作中）の後処理部の引き出しを禁止して、その後処理部が引き出せないようにロックすることにより、用紙や機械の破損の危険を回避でき、ジャムが発生していない他の後処理部に切り替えて、印刷ジョブを確実に継続させることができる。なお、使用中の後処理部の引き出しを禁止する旨を外部（オペレーションパネル又はホストコンピュータ）へ通知することもできる。そうすれば、その通知を認識したユーザにより、使用中の後処理部が引き出されることがなくなるため、ジャムが発生していない他の後処理部に切り替えて、印刷ジョブを確実に継続させることができる。
さらに、複数の後処理部の引き出しの有無を外部へ通知することもできる。そうすれば、各後処理部の引き出し状態をユーザが確認できる。
【産業上の利用可能性】
【００４１】
以上の説明から明らかなように、この発明によれば、画像形成装置本体側の印刷を中断させることなく、ジャム解除操作等のユーザ操作を行うことができる。したがって、使い勝手の良い後処理装置を提供することができる。
【符号の説明】
【００４２】
１：プロッタ装置    ２，３：用紙格納装置    ４〜６：用紙後処理装置
１１：オペレーションパネル    １２：ＣＰＵ    １３：ＡＳＩＣ    １４：ＲＡＭ
１５：ＲＯＭ    １６：ネットワークＩ／Ｆ    １７：ＨＤＤ    １８：周辺機Ｉ／Ｆ
１９：エンジン部    ２０：周辺機    ５１：第１の後処理部    ５２：第２の後処理部
５３：第３の後処理部    ５４：共通搬送ユニット    １０１：前カバー
１０２：把手
【先行技術文献】
【特許文献】
【００４３】
【特許文献１】特開平１１−２９２３９１号公報
【図１】
2011184155.tif 000003
【図２】
2011184155.tif 000004
【図３】
2011184155.tif 000005
【図４】
2011184155.tif 000006
【図５】
2011184155.tif 000007
【図６】
2011184155.tif 000008
【図７】
2011184155.tif 000009